(57)【要約】【課題】複数本の光ファイバ単心線を配列し、固定する際の作業効率を向上させ、配列ミスの発生を防止することが可能な光ファイバ心線固定用ホルダを提供することを目的とする。【解決手段】光ファイバ心線固定用ホルダ１０は、ステージ１１の表面に複数列の溝１２が形成されている。これら複数列の溝１２には、光ファイバ単心線がそれぞれに収容される。また、各溝１２は、互いに異なる色で表示されている。そして、各溝１２の互いに異なる色は、そこに収納する単心線に各別に付与された色に対応している。【選択図】　　　図１
2004145196.tif 000002
【特許請求の範囲】
【請求項１】
複数本の光ファイバ単心線を並行に配列させた状態で固定する光ファイバ心線固定用ホルダであって、
ステージと、
前記ステージ表面に並行に形成され、前記光ファイバ単心線をそれぞれに収容する複数列の溝と
を具備し、
前記複数列の溝は、互いに異なる色で表示されている
ことを特徴とする光ファイバ心線固定用ホルダ。
【請求項２】
前記複数列の溝に表示されている互いに異なる色は、前記複数本の光ファイバ単心線に各別に付与された色に対応している、請求項１に記載の光ファイバ心線固定用ホルダ。
【請求項３】
前記複数列の溝に収容された前記複数本の光ファイバ単心線を押さえる押さえ蓋を更に具備する、請求項１に記載の光ファイバ心線固定用ホルダ。
【請求項４】
複数本の光ファイバ単心線を並行に配列させた状態で固定する光ファイバ心線固定用ホルダであって、
ステージと、
前記ステージを並行に貫通し、前記光ファイバ単心線をそれぞれに挿通させる複数列のテーパ孔と
を具備し、
前記テーパ孔は、前記ステージの一端側の開口における孔径が前記光ファイバ単心線の外径よりも大きく、他端側の開口における孔径が前記光ファイバ単心線の外径と略等しい
ことを特徴とする光ファイバ心線固定用ホルダ。
【請求項５】
前記一端側の孔径は、前記光ファイバ単心線の外径の２倍以上で且つ１０倍以下の大きさであり、前記他端側の孔径は、前記光ファイバ単心線の外径に前記外径の０．５％以内のクリアランスを加えた大きさである、請求項４に記載の光ファイバ心線固定用ホルダ。
【請求項６】
前記複数列のテーパ孔は、互いに異なる色で表示されている、請求項４に記載の光ファイバ心線固定用ホルダ。
【請求項７】
前記複数列のテーパ孔に表示されている互いに異なる色は、前記複数本の光ファイバ単心線に各別に付与された色に対応している、請求項６に記載の光ファイバ心線固定用ホルダ。
【請求項８】
前記ステージの他端側に付設され、前記他端側の開口から延出された前記光ファイバ単心線をそれぞれに収容する複数列の溝と、前記複数列の溝に収容された前記複数本の光ファイバ単心線を押さえる押さえ蓋とを更に具備する、請求項４に記載の光ファイバ心線固定用ホルダ。
【発明の詳細な説明】
【０００１】
【発明の属する技術分野】
本発明は光ファイバ心線固定用ホルダに係り、特に、複数本の光ファイバ単心線を配列させる光ファイバ心線固定用ホルダに関する。
【０００２】
【従来の技術】
近年、光通信の需要の増大に伴い、光ファイバケーブルの布設条数や接続回数が増加しているため、光ファイバ心線を接続する作業等は頻繁に行われている。例えば、光ファイバテープ心線（以下、適宜「テープ心線」という）同士を接続する場合には、テープ心線の外径に対応した溝とガイドピンとを有するテープ心線固定用ホルダを用い、比較的容易に且つ短時間で接続作業を完了することが可能である。
【０００３】
また、テープ心線と複数本の光ファイバ単心線（以下、適宜「単心線」という）とを接続する場合には、次のような方法が採られている。例えば、テープ心線を複数本の単心線に分離し、単心線同士を接続する作業を本数分だけ繰り返す方法、複数本の単心線の端末をリボナイズしてテープ心線とし、テープ心線同士を一括して接続する方法、単心線の外径に対応した複数列の溝とガイドピンとを有する光ファイバ心線固定用ホルダを用い、光ファイバ心線固定用ホルダに配列した複数本の単心線とテープ心線とを一括して接続する方法などがある。
【０００４】
また、複数本の単心線と複数本の単心線とを接続する場合にも、複数本の単心線を配列する光ファイバ心線固定用ホルダを用い、光ファイバ心線固定用ホルダに配列した複数本の単心線同士を一括して接続することが可能である。
【０００５】
【特許文献１】
特開平１１−０４４８２８号公報
【特許文献２】
特開２０００−１３１５５０号公報
【０００６】
【発明が解決しようとする課題】
上記のようにテープ心線と複数本の単心線とを接続する場合や複数本の単心線と複数本の単心線とを接続する場合、幾つかの方法があるものの、何れの方法も、テープ心線同士の接続方法と比較すると、接続作業に長時間を要し、作業効率が低いものであった。
【０００７】
特に、光ファイバ心線固定用ホルダを用いて配列した複数本の単心線を一括して接続する方法の場合、各単心線をその外径に対応した狭い溝にそれぞれ収容しなければならず、たとえガイドピンが設けれられていても、長時間を要する煩雑な配列作業が必要となり、作業効率が低いという問題があった。また、その配列作業の際には、単心線を間違った溝に収容する配列ミスがしばしば発生し、接続不良を引き起こすという問題もあった。
【０００８】
本発明は上記事情を考慮してなされたものであり、複数本の光ファイバ単心線を配列し固定する際の作業効率を向上させ、配列ミスの発生を防止することが可能な光ファイバ心線固定用ホルダを提供することを目的とする。
【０００９】
【課題を解決するための手段】
上記した目的を達成するために、本発明においては、複数本の光ファイバ単心線を並行に配列させる光ファイバ心線固定用ホルダであって、ステージと、前記ステージ表面に並行に形成され、前記光ファイバ単心線をそれぞれに収容する複数列の溝とを具備し、前記複数列の溝は、互いに異なる色で表示されていることを特徴とする光ファイバ心線固定用ホルダが提供される。
【００１０】
この場合、複数列の溝が互いに異なる色で表示されているため、特定の光ファイバ単心線を収納する特定の溝が他の溝と区別されて容易に識別される。従って、単心線を間違った溝に収容することはなくなり、配列ミスの発生が防止される。
ここで、前記複数列の溝に表示されている互いに異なる色は、前記複数本の光ファイバ単心線に各別に付与された色に対応していることが好適である。これにより、特定の色の光ファイバ単心線が対応する色の溝に収容されることになるため、配列ミスの発生が完全に防止されると共に、作業効率も更に向上する。
【００１１】
また、前記複数列の溝に収容された前記複数本の光ファイバ単心線を押さえる押さえ蓋を更に具備することが好適である。これにより、複数列の溝に収容され光ファイバ単心線は、配列された状態で安定的に固定される。
また、本発明においては、複数本の光ファイバ単心線を並行に配列させる光ファイバ心線固定用ホルダであって、ステージと、前記ステージを並行に貫通し、前記光ファイバ単心線をそれぞれに挿通させる複数列のテーパ孔とを具備し、前記テーパ孔は、前記ステージの一端側の開口における孔径が前記光ファイバ単心線の外径よりも大きく、他端側の開口における孔径が前記光ファイバ単心線の外径と略等しいことを特徴とする光ファイバ心線固定用ホルダが提供される。
【００１２】
この場合、光ファイバ単心線がその外径よりも大きい孔径を有する一端側の開口から外径と略等しい他端側の開口に向かってテーパ孔内に挿入されるため、複数本の光ファイバ単心線を配列する作業が容易になり、作業時間も短縮されて、作業効率が向上する。
ここで、前記テーパ孔の一端側の孔径は、光ファイバ単心線の外径の２以上で且つ１０倍以下の大きさであり、他端側の孔径は、光ファイバ単心線の外径に外径の０．５％以内のクリアランスを加えた大きさであることが好適である。
【００１３】
また、前記複数列のテーパ孔は、互いに異なる色で表示されていることが好適である。これにより、特定の光ファイバ単心線を挿通させる特定のテーパ孔が容易に識別されるため、単心線を間違ったテーパ孔に挿通させることはなくなり、配列ミスの発生が防止される。
また、前記複数列のテーパ孔に表示されている互いに異なる色は、前記複数本の光ファイバ単心線に各別に付与された色に対応していることが好適である。これにより、特定の色の光ファイバ単心線が対応する色のテーパ孔に挿通されることになるため、配列ミスの発生が完全に防止されると共に、作業効率も更に向上する。
【００１４】
また、前記ステージの他端側に付設され、前記他端側の開口から延出された前記光ファイバ単心線をそれぞれに収容する複数列の溝と、前記複数列の溝に収容された前記複数本の光ファイバ単心線を押さえる押さえ蓋とを更に具備することが好適である。これにより、複数列のテーパ孔に挿通され、ステージの他端側の開口から延出された光ファイバ単心線は、複数列の溝に配列された状態で安定的に固定される。
【００１５】
【発明の実施の形態】
以下、本発明の実施の形態について添付図面を参照しつつ説明する。
（第１の実施形態）
図１に示されるように、光ファイバ心線固定用ホルダ１０は、例えば直方体状のステージ１１を有し、このステージ１１の表面には、長手方向に延びる複数列の溝１２が互いに隣接して平行に形成されている。これら複数列の溝１２には、例えば外径０．２５ｍｍの光ファイバ単心線がそれぞれ収容される。なお、ここでは、４列の溝１２を図示しているが、列数に限定はなく、通常は８列の場合が多い。
【００１６】
また、各溝１２は、互いに異なる色で表示されている。具体的には、各溝１２毎にその全長に亘って所定の色が付与されている。そして、各溝１２の色は、そこに収納される単心線に各別に付与された色に対応している。即ち、各溝１２には、そこに収納される単心線の色と同一の色か、両者の対応関係が明白に分かる色が付与されている。
【００１７】
また、複数列の溝１２の両サイドには、例えば３対のガイドピン１３が配置されている。これらガイドピン１３は、複数本の単心線を各溝１２に収容する際に、単心線が溝１２からずれないようにガイドする機能を有している。
また、ステージ１１には、ヒンジ１４を介して、押さえ蓋１５が取り付けられている。この押さえ蓋１５には、ステージ１１の複数列の溝１２に対応して長手方向に延びる突条１６が形成されている。この突条１６は、その表面にはラバー材が貼付されている。このラバー付きの突条１６は、押さえ蓋１５を閉じた際に、複数列の溝１２に収容された複数本の単心線を押さえて、安定的に固定する。なお、図示は省略するが、押さえ蓋１５の所定の位置には、押さえ蓋１５を閉じた際にガイドピン１３が当接することを回避するための凹部が形成されている。
【００１８】
以上のように本実施形態に係る光ファイバ心線固定用ホルダ１０によれば、複数列の溝１２が互いに異なる色で表示され、しかも各溝１２の色がそこに収納される単心線に各別に付与された色に対応しているため、特定の単心線を収納する特定の溝１２が一目瞭然に識別される。従って、各溝１２に所定の単心線を収容して固定する際に、単心線を間違った溝１２に収容することはなくなり、配列ミスの発生を防止することができる。
【００１９】
（第２の実施形態）
図２に示されるように、光ファイバ心線固定用ホルダ２０は、例えば直方体状のステージ２１を有し、このステージ２１は、光ファイバ心線挿通部２１ａと光ファイバ心線固定部２１ｂとを有している。
光ファイバ心線挿通部２１ａには、光ファイバ心線挿通部２１ａを長手方向に並行に貫通する複数列のテーパ孔２２が互いに隣接して形成されている。これら複数列のテーパ孔２２には、例えば外径０．２５ｍｍの単心線がそれぞれ挿通される。ここでは、４列のテーパ孔２２を図示しているが、列数に限定はない。
【００２０】
また、光ファイバ心線挿通部２１ａの一端側及び他端側における複数列のテーパ孔２２の複数個の開口をそれぞれ第１及び第２の開口２３，２４とすると、第１の開口２３におけるテーパ孔２２の孔径は、そこに挿通される単心線の外径よりも十分に大きく、例えば単心線の外径の２倍以上で且つ１０倍以下の大きさである。また、第２の開口２４におけるテーパ孔２２の孔径は、単心線の外径と略等しく、例えば、単心線の外径にその０．５％以内、望ましくは０．２％以内のクリアランスを加えた大きさである。そして、テーパ孔２２の第１の開口２３から第２の開口２４に到る孔径は、連続的に変化している。
【００２１】
また、各テーパ孔２２は、互いに異なる色で表示されている。具体的には、各テーパ孔２２の第１の開口２３の近傍に、それぞれカラー表示ラベル２５が貼り付けられている。そして、各カラー表示ラベル２５には、そのカラー表示ラベル２５により特定されるテーパ孔２２に挿通される単心線に各別に付与された色に対応して、単心線と同一の色か、両者の対応関係が明白に分かる色が付与されている。
【００２２】
また、光ファイバ心線固定部２１ｂには、光ファイバ心線挿通部２１ａの他端側の第２の開口２４にそれぞれ接続し、且つ、長手方向に延びる複数列の溝２６が互いに隣接して平行に形成されている。これら複数列の溝２６には、第１の開口２３側からテーパ孔２２内に挿入され、第２の開口２４側から延出される単心線がそれぞれ収容される。
【００２３】
また、各溝２６は、第１の実施形態の場合と同様の方法で着色されている。即ち、１本の単心線を共有する特定のテーパ孔２２及び溝２６において、当該テーパ孔２２のカラー表示ラベル２５に付与された色と当該溝２６に付与された色とは同一である。また、複数列の溝２６の両サイドには、例えば２対のガイドピン２７が配置されている。
【００２４】
また、光ファイバ心線固定部２１ｂには、ヒンジ２８を介して、押さえ蓋２９が取り付けられている。この押さえ蓋２９には、光ファイバ心線固定部２１ｂの複数列の溝２６に対応して、長手方向に延びる突条３０が形成されている。この突条３０は、その表面にはラバー材が貼付されている。ラバー付きの突条３０は、押さえ蓋２９を閉じた際に、複数個の第２の開口２４側から延出し、複数列の溝２６に収容された複数本の単心線を押さえて、安定的に固定する。なお、図示は省略するが、押さえ蓋２９の所定の位置には、押さえ蓋２９を閉じた際に、ガイドピン２７が当接することを回避するための凹部が形成されている。
【００２５】
以上のように本実施形態に係る光ファイバ心線固定用ホルダ２０によれば、ステージ２１の一端側の第１の開口２３における孔径が単心線の外径よりも十分に大きいテーパ孔２２が設けら得ているため、単心線を第１の開口２３側からテーパ孔２２内に挿入させることで、複数本の単心線を極めて容易に配列することが可能になる。従って、作業時間が短縮され、作業効率を向上させることができる。
【００２６】
更に、複数列のテーパ孔２２が各カラー表示ラベル２５によって互いに異なる色で表示され、同時に複数列の溝２６が対応する各テーパ孔２２の各カラー表示ラベル２５と同一の色で表示され、しかも各カラー表示ラベル２５及び各溝２６の色が単心線に各別に付与された色に対応しているため、第１の実施形態の場合と同様、配列ミスの発生を防止することができる。
【００２７】
【実施例】
以下に説明する実施例１，２及び比較例に係る各光ファイバ心線固定用ホルダには、外径０．２５ｍｍの４本の単心線が配列されるものとする。これら４本の単心線には、それぞれ青色、白色、茶色、灰色が付与されている。
【００２８】
（実施例１）
実施例１においては、第１の実施形態（図１）の光ファイバ心線固定用ホルダ１０が使用される。更に、ここでは、そのステージ１１の４列の溝１２のそれぞれに、黒色、白色、茶色、灰色の各色が全長に亘って付与されている。
こうした光ファイバ心線固定用ホルダ１０において、４列の溝１２に、これら溝１２の各色に対応する青色、白色、茶色、灰色の各単心線を、それぞれガイドピン１３を利用しつつ収容して、配列する。更に、押さえ蓋１５で蓋をし、突条１６を用いて４列の溝１２に収容された各単心線を押さえる。こうして、光ファイバ心線固定用ホルダ１０に４本の単心線を配列した状態で固定する。
【００２９】
（実施例２）
実施例２においては、第２の実施形態（図２）の光ファイバ心線固定用ホルダ２０が使用される。更に、ここでは、４列のテーパ孔２２の第１の開口２３における孔径が２ｍｍ程度であり、第２の開口２４における孔径が０．２５ｍｍである。また、テーパ孔２２を介して互いに対応する各カラー表示ラベル２５及び各溝２６には、黒色、白色、茶色、灰色の各色が付与されている。
【００３０】
こうした光ファイバ心線固定用ホルダ２０において、４列のテーパ孔２２に、これらテーパ孔２２の最近傍のカラー表示ラベル２５の各色に対応する青色、白色、茶色、灰色の各単心線を、孔径２ｍｍの第１の開口２３側から挿入し、その先端を孔径０．２５ｍｍの第２の開口２４側に到らしめる。そして、第２の開口２４から延出する各単心線を、カラー表示ラベル２５の各色と同一の色の４列の溝２６に、それぞれガイドピン２７を利用しつつ収容して、配列する。更に、押さえ蓋２９で蓋をし、突条３０を用いて４列の溝１２に収容された各単心線を押さえる。こうして、光ファイバ心線固定用ホルダ２０に４本の単心線を配列した状態で固定する。
【００３１】
（比較例）
比較例においては、図３に示される光ファイバ心線固定用ホルダ４０が使用される。この光ファイバ心線固定用ホルダ４０は、図１に示される光ファイバ心線固定用ホルダ１０と略同様の構造をなしているが、その４列の溝１２が何ら着色されていない点が異なる。
【００３２】
こうした光ファイバ心線固定用ホルダ４０において、無着色の４列の溝１２に、青色、白色、茶色、灰色の４本の単心線を、それぞれガイドピン１３を利用しつつ収容し、押さえ蓋１５で蓋をし、突条１６を用いて４列の溝１２に収容された各単心線を押さえる。こうして、光ファイバ心線固定用ホルダ４０に４本の単心線を配列した状態で固定する。
【００３３】
以上のような実施例１，２及び比較例に係る光ファイバ心線固定用ホルダ１０，２０，４０における単心線の配列作業を１０人に行わせ、その際の４本の単心線を各光ファイバ心線固定用ホルダ１０，２０，４０に配列する際のセッティング時間を測定すると共に、配列ミスの発生の有無を検査した。その結果を表１に示す。
【００３４】
【表１】
2004145196.tif 000003
【００３５】
ここで、セッティング時間については、３０秒以内にセッティングを完了した者が全員の場合を○、５人以上９人以下の場合を△、５人未満の場合を×とした。また、配列ミスの発生については、全員に配列ミスがなかった場合を○、１人でも配列ミスがあった場合を×とした。
この表１に示される結果から明らかなように、複数の溝１２又はテーパ孔２２に識別用の色が表示されている実施例１，２の場合には、配列ミスの発生が効果的に防止される。また、ステージ２１の一端側の第１の開口２３が単心線の外径よりも十分に大きい孔径を有する複数のテーパ孔２２が設けられている実施例２の場合には、セッティング時間が大幅に短縮され、作業効率が向上する。
【００３６】
【発明の効果】
以上詳細に説明したように、本発明によれば、光ファイバ単心線をそれぞれに収容する複数列の溝が互いに異なる色で表示されているため、光ファイバ心線固定用ホルダに複数本の光ファイバ単心線を配列する際、特定の光ファイバ単心線を収納する特定の溝が容易に識別され、配列ミスの発生を防止することができる。
【００３７】
また、光ファイバ単心線をそれぞれに収容する複数列のテーパ孔の、ステージの一端側の開口における孔径が光ファイバ単心線の外径よりも大きくなっているため、光ファイバ心線固定用ホルダに複数本の光ファイバ単心線を配列する際、光ファイバ単心線を孔径が大きな開口からテーパ孔内に容易に挿通させることが可能になり、配列作業時間が大幅に短縮され、作業効率を向上させることができる。
【図面の簡単な説明】
【図１】本発明の第１の実施形態に係る光ファイバ心線固定用ホルダを示す斜視図である。
【図２】本発明の第２の実施形態に係る光ファイバ心線固定用ホルダを示す斜視図である。
【図３】比較例に係る光ファイバ心線固定用ホルダを示す斜視図である。
【符号の説明】
１０　　　第１の実施形態に係る光ファイバ心線固定用ホルダ
１１　　　ステージ
１２　　　溝
１３　　　ガイドピン
１４　　　ヒンジ
１５　　　押さえ蓋
１６　　　突条
２０　　　第２の実施形態に係る光ファイバ心線固定用ホルダ
２１　　　ステージ
２１ａ　　光ファイバ心線挿通部
２１ｂ　　光ファイバ心線固定部
２２　　　テーパ孔
２３　　　第１の開口
２４　　　第２の開口
２５　　　カラー表示ラベル
２６　　　溝
２７　　　ガイドピン
２８　　　ヒンジ
２９　　　押さえ蓋
３０　　　突条
４０　　　比較例に係る光ファイバ心線固定用ホルダ
【図１】
2004145196.tif 000004
【図２】
2004145196.tif 000005
【図３】
2004145196.tif 000006